(57)【要約】【課題】電気設備に対する電気的保護回路などに用いられるリレー盤の取替えや点検を行うとき、運行中の送電線を停止する必要がなく、取替えや点検の作業が容易で、その都度行う諸試験も容易に実施できるリレー接続構造を提供する。【解決手段】外部回路と、リレー盤と、前記外部回路−リレー盤間に介在してこれらの接続／開放の切り替えを行うターミナル装置を有するリレー接続箱と、を備えるリレー接続構造であって、前記ターミナル装置は、挿入／離脱自在型のプラグ部と、これを受け入れる本体部と、を備え、前記本体部は、前記プラグ部の挿入によって２経路の接続を切り替えるための複数組の接点ユニットを備え、前記プラグ部は、前記複数組の接点ユニットのそれぞれに接触する複数組の接触子と、これら接触子から引き出された前記２経路に対応する外部端子を備え、構成されるリレー接続構造とした。【選択図】図１ａ
2007330001.tif 000002
【特許請求の範囲】
【請求項１】
外部回路と、リレー盤と、前記外部回路−リレー盤間に介在してこれらの接続／開放の切り替えを行うターミナル装置を有するリレー接続箱と、を備えるリレー接続構造であって、
前記ターミナル装置は、挿入／離脱自在型のプラグ部と、これを受け入れる本体部と、を備え、
前記本体部は、前記プラグ部の挿入によって２経路の接続を切り替えるための複数組の接点ユニットを備え、
前記プラグ部は、前記複数組の接点ユニットのそれぞれに接触する複数組の接触子と、これら接触子から引き出された前記２経路に対応する外部端子を備え、
構成されることを特徴とするリレー接続構造。
【請求項２】
請求項１に記載のリレー接続構造を用いて、既設リレー盤から新設リレー盤へ接続を切り替える方法であって、
前記リレー接続箱には、既設のリレー盤に接続された既設側ターミナル装置と、新設するリレー盤に接続される新設側ターミナル装置とが配設されて、前記既設側ターミナル装置と新設側ターミナル装置は相互に接続され、
前記プラグ部の２経路の外部端子の中の１経路の外部端子は、相互に接続されて短絡される手段を備え、
新設するリレー盤の側において、
・新設側のターミナル装置の本体部に、短絡させたプラグ部を挿入する、
・新設側のターミナル装置の端子台で短絡を解除する、
・新設リレー盤を新設側のターミナル装置に接続する、
・本体部に挿入していたプラグ部を外す、
既設されたリレー盤の側において、
・既設側のターミナル装置の本体部に、短絡させたプラグ部を挿入する、
・既設リレー盤と既設側のターミナル装置との接続を外す、
・既設側のターミナル装置の端子台を短絡する、
・前記本体部に挿入していた前記プラグ部を外す、
の各ステップを備えることを特徴とするリレー接続切り替え方法。
【請求項３】
請求項１に記載のリレー接続切り替え方法において、
前記新設リレー盤をターミナル装置に接続したとき、前記新設リレー盤のテストを行うステップを含む、ことを特徴とするリレー接続切り替え方法。
【発明の詳細な説明】
【技術分野】
【０００１】
本発明は、送電／変電／配電の電気設備に対する電気的保護方式における保護回路などに用いられるリレー接続構造およびリレー接続切り替え方法にかかり、より具体的には、過電流継電器、地絡過電流継電器など保護継電器におけるリレー接続構造やリレー接続の方法に関するものである。
【背景技術】
【０００２】
電力を供給するための送変電用の電気設備に対する電気的保護方式に用いられる従来の保護回路のリレーの構成を図７に示す。この図７で示すように、送電線(母線)上に設置されたＣＴ回路(変流器)Ｃ１と地上側に設けられたリレー盤Ｒ１とは直に接続された構成となっている。このような従来の構成で、既設のリレー盤Ｒ１を新規のものに取り替えたい場合には、既設のリレー盤Ｒ１をＣＴ回路Ｃ１から切り離して、そこに新たなリレー盤を接続し直すという取り替え作業が、通常は必要となる。
【０００３】
そのような取り替え作業は、稼動中の送電線が活線のままで行うことは大変危険であるので、送電を停止してこの作業を実施しなければならなかった。また、リレーの取替え時には、停電した上にその都度諸試験を実施しなければならないという面倒さがあった。
さらに、既設のリレー盤やＣＴ回路の点検を行うためにも、通常は稼動中の送電線を停止して実施しなくてはならなかった。なお、停止できない線路もあるので、その場合は、リレーの点検や取替えは行うことができない。
【０００４】
本発明のリレー接続構造およびリレー接続切り替え方法の技術分野にかかわる特許文献としては、例えば次のようなものがある。
【特許文献１】特開平０８−３７０６８号公報
【特許文献２】特開平０８−０１９１５９号公報
【０００５】
電気設備に対する電気的保護回路などのリレー接続において、従来の方法によって、リレー盤などの付属設備の取り替えや点検を行うためには、運行中の送電線を停止しなくてはならないという問題点があった。また、既設されたリレー盤を取り替えたり点検したりする作業自体が容易ではなく、停電した上にその都度諸試験も実施しなければならないので、その作業負担も大きかった。
【発明の開示】
【発明が解決しようとする課題】
【０００６】
本発明は、上述のような問題点を解決するためになされたものであり、電気設備に対する電気的保護回路などにおけるリレー盤の取替えや点検を行うにあたって、運行中の送電線を停止する必要がなく、また、そのリレーの取替えや点検の作業が容易に実行でき、その都度行う諸試験も容易に実施できるリレー接続構造およびリレー接続切り替え方法を提供することを目的とする。
【課題を解決するための手段】
【０００７】
（１）外部回路と、リレー盤と、前記外部回路−リレー盤間に介在してこれらの接続／開放の切り替えを行うターミナル装置を有するリレー接続箱と、を備えるリレー接続構造であって、
前記ターミナル装置は、挿入／離脱自在型のプラグ部と、これを受け入れる本体部と、を備え、
前記本体部は、前記プラグ部の挿入によって２経路の接続を切り替えるための複数組の接点ユニットを備え、
前記プラグ部は、前記複数組の接点ユニットのそれぞれに接触する複数組の接触子と、これら接触子から引き出された前記２経路に対応する外部端子を備え、構成されるリレー接続構造とした。
【０００８】
（２）(１)のリレー接続構造を用いて、既設リレー盤から新設リレー盤へ接続を切り替える方法であって、
前記リレー接続箱には、既設のリレー盤に接続された既設側ターミナル装置と、新設するリレー盤に接続される新設側ターミナル装置とが配設されて、前記既設側ターミナル装置と新設側ターミナル装置は相互に接続され、
前記プラグ部の２経路の外部端子の中の１経路の外部端子は、相互に接続されて短絡される手段を備え、
・新設するリレー盤の側において、
(１)新設側のターミナル装置の本体部に、短絡させたプラグ部を挿入する、
(２)新設側のターミナル装置の端子台(ＳＢ部)で短絡を解除する、
(３)新設リレー盤を新設側のターミナル装置に接続する、
(４)本体部に挿入していたプラグ部を外す、
・既設されたリレー盤の側において、
(５)既設側のターミナル装置の本体部に、短絡させたプラグ部を挿入する、
(６)既設リレー盤と既設側のターミナル装置との接続を外す、
(７)既設側のターミナル装置の端子台(ＳＢ部)を短絡する、
(８)前記本体部に挿入していた前記プラグ部を外す、
の各ステップを備えるリレー接続切り替え方法とした。
【０００９】
（３）(１)リレー接続切り替え方法において、
前記新設リレー盤をターミナル装置に接続したとき、前記新設リレー盤のテストを行うステップを含むリレー接続切り替え方法とした。
【発明の効果】
【００１０】
本発明による「リレー接続構造およびリレー接続切り替え方法」によれば、電気設備に対する電気的保護回路などにおけるリレー盤の取替えや点検を行うにあたって、運用中の送電線を停止する必要がなくなり、また、そのリレー盤の取替えや点検の作業が容易に実行することができ、その都度行う諸試験も容易に実施することができる。
【発明を実施するための最良の形態】
【００１１】
さて、本発明による「リレー接続構造およびリレー接続切り替え方法」の実施の形態について、図１ａ，ｂ〜６を用いて説明する。
図１ａ，ｂ〜６は、既設されたリレー盤を新規のリレー盤に取り替えるためのリレー接続構造およびその方法を説明するための図であり、また図６は、本発明に用いられるプラグの差し込みにより接続／開放自在の接続方式を有するターミナル装置Ｔを説明するための構造図である。
【００１２】
まず、本発明で用いられるターミナル装置の例について、図６(１)(２)(３)を用いて説明する。図６(１)はターミナル装置Ｔの本体部Ｔｈの内部構造を縦断面によって示す図であり、図６(２)はそのプラグ部Ｔｐの外観斜視面であり、図６(３)は、ターミナル装置Ｔの本体部Ｔｈにプラグ部Ｔｐを挿入したときの状態を内部断面によって示す構造図である。ここでのターミナル装置Ｔは、本体部Ｔｈとプラグ部Ｔｐとの雄雌接合型の接続構造からなり、本体部Ｔｈとプラグ部Ｔｐとの抜き差し(挿入／離脱)によって、短絡／開放を自在とする接続手段を備えている。
【００１３】
図６(１)に示すように、ターミナル装置Ｔの本体部Ｔｈは、筐体１０（ケース体）を有して、その右側面に設けられた下部端子１５ａと上部端子１５ｂとの２系統に接続するための接点ユニット１２を内部に備え、またその左側面にはプラグ部Ｔｐを筐体１０の内部に挿入するため差込口１１が設けられている。
この本体部Ｔｈの接点ユニット１２は複数組が設けられ、プラグ部Ｔｐが挿入されることによって、外部から接続された下部端子１５ａと上部端子１５ｂの２経路の接続を切り替えることができる。
【００１４】
図６(１)に示したターミナル装置Ｔの本体部Ｔｈは、図６(２)に示したプラグ部Ｔｐと一対にして用いられるものであるが、図６(２)のプラグ部Ｔｐは、接続された外部回路が４つの相(４対の接触子)を有するものであって、このプラグ部Ｔｐに合わせて、本体部Ｔｈでは、外部回路の４つの相(４対の接触子)のそれぞれに対応するように、４組の接点ユニット１２が本体部Ｔｈ内に並列して配設されている。
【００１５】
図６(１)に示すように、本体部Ｔｈ内の４組の接点ユニット１２のうちの１組は、副接触部(ａ１,ｂ１)、主接触部(ａ２,ｂ２)、接点(ａ３,ｂ３)をそれぞれ有する上下１対の可動接触板(１２ａ,１２ｂ)、支持導体(１３ａ, １３ｂ)、および中継接点用の部材(１４ａ, １４ｂ)を備えており、これらの部材は、本体部Ｔｈの筐体１０の内壁に配置された上部支持導体１３ｂから上部端子１５ｂに接続され、下部支持導体１３ａから下部端子１５ａに接続されるよう構成されている。
【００１６】
また、接点ユニット１２の各副接触部(ａ１,ｂ１)、主接触部(ａ２,ｂ２)は、圧縮コイル状のばね(ｓ１,ｓ２,ｓ３,ｓ４)によって筐体１０の内壁側から付勢されて、それぞれの接続を良好にするような構成となっている。ここでの２系統からなる２つの上部端子１５ｂと下部端子１５ａは、例えば、一方の下部端子１５ａが変流器などの外部回路に接続されて、他方の上部端子１５ｂはリレー盤に接続される。
【００１７】
ターミナル装置Ｔのプラグ部Ｔｐは、図６(２)の外観斜視図と図６(３)のプラグ部挿入状態の図とに示すように、矩形立体状の基体２０の左右両側面に、複数の接触子２１とそれらの接触子２１に対応して接続される接続端子(前部端子２３、後部端子２４)とを突出させて配置した構成である。図６(２)の接触子２１は、基体２０から突設された絶縁板ｚにおいて、各相(４相)に対応するとともに上下が相互に絶縁された各一対の接触子(ｘ１,ｙ１)、(ｘ２,ｙ２)、(ｘ３,ｙ３)、(ｘ４,ｙ４)からなる４組の接触子が並設される構成であり、４組の接触子の基端部は、同軸状に配設された４組の「前部端子２３、後部端子２４」にそれぞれ接続されるよう構成されている。
【００１８】
このプラグ部Ｔｐでは、複数枚の接続板２５(渡り線)を用いて４個の後部端子２４間を連結接続し、後部端子２４同士を短絡させることができ、これら４個の後部端子２４に外部装置などが接続されていれば、この装置をオープンの状態にすることができる。
また、前部端子２３には他の装置などを接続しておくことができるので、この前部端子２３に例えば試験装置を接続することにより、リレー盤などの保護装置の試験を行うこともできる。
【００１９】
図６(１)を参照するに、ターミナル装置Ｔの本体部Ｔｈにプラグ部Ｔｐが挿入されていない状態において、下部端子１５ａと上部端子１５ｂ間は、「支持導体１３ａ・中継接点１４ａ・接点ｂ３・可動接触板１２ｂ・支持導体１３ｂ」、および「支持導体１３ｂ・中継接点１４ｂ・接点ａ３・可動接触板１２ａ・支持導体１３ａ」を介して閉路状態となって、閉回路を形成している。
【００２０】
つぎに、図６(３)のように、ターミナル装置Ｔの本体部Ｔｈにプラグ部Ｔｐを挿入されたときには、本体部Ｔｈ内部の各接点ユニット１２の接点(ａ３,ｂ３)と中継接点(１４ｂ,１４ａ)との間が開離される状態となって、下部端子１５ａと上部端子１５ｂとの２経路の接続が断ち切られ、本体部Ｔｈの上部端子１５ｂの経路はプラグ部Ｔｐの前部端子２３に引き出され、また本体部Ｔｈの下部端子１５ａの経路はプラグ部Ｔｐの後部端子２４に引き出され、２経路について接続の切り替えが行われる。
【００２１】
ターミナル装置Ｔの本体部Ｔｈにプラグ部Ｔｐを挿入する前に、例えば、本体部Ｔｈの下部端子１５ａに外部回路(１経路目)を接続しておき、上部端子１５ｂにリレー盤(２経路目)を接続しておき、ここでターミナル装置Ｔのプラグ部Ｔｐの後部端子２４は複数の接続板２５で連結接続して短絡させておいたとする。そしてつぎに、ターミナル装置Ｔの本体部Ｔｈにプラグ部Ｔｐを挿入したときには、ターミナル装置Ｔ内で２経路の切り替えが行われ、外部回路(１経路目)は後部端子２４に接続されて短絡状態となり、リレー盤(２経路目)は前部端子２３に接続される。ここで前部端子２３(２経路目)に別のリレー盤を接続しておけば、リレー盤と別のリレー盤とが接続される。
【００２２】
したがって、例えば、給電中の電線上の外部回路と既設のリレー盤(保護継電器)との間に、本発明によるターミナル装置Ｔを接続し、そのターミナル装置Ｔのプラグ部Ｔｐの後部端子２４同士を接続して短絡させておいて、このプラグ部Ｔｐの前部端子２３には新規のリレー盤の接続ケーブルをつないでおく。そして、このプラグ部Ｔｐをターミナル装置Ｔの本体部Ｔｈに差し込むことにより、外部回路と既設リレー盤との切り離し、外部回路の短絡、外部回路と新設リレー盤との接続、を同時に行うことが可能となる。すなわち、ターミナル部Ｔを用いることにより、外部回路をオープンさせることなく、既設のリレー盤と新規のリレー盤とを切り替えて接続することができ、給電中の電線も停止させる必要はなくなる。
【００２３】
図１ａは、本発明のリレー接続構造およびリレー接続切り替え方法の一実施形態を説明するための構成説明図であり。図１ａ(１)は、既設のリレー盤５０に接続されたリレー接続構造１００の構成を、図１ａ(２)は、(１)のリレー接続構造１００において、リレー盤５１を新設してその後に既設のリレー盤５０を取り外すためのリレー接続構造１０１を、図１ａ(３)は、(２)のリレー接続構造１０１において既設のリレー盤５１’に替えてさらに別のリレー盤５２を新設し、既設のリレー盤５１を取り外すリレー接続構造構成１０２を、それぞれ示す図である。
【００２４】
図１ａ(１)のリレー接続構造１００は、ＣＴ回路３０(外部回路)と、既設のリレー盤５０と、外部回路３０−リレー盤３０間に配設されてこれらの接続／開放の切り替えを行うリレー接続ユニット４０と、を備える。
このリレー接続ユニット４０は、これから新設するリレー盤(５１)に接続するターミナル装置Ｔ１(８極型)と、既設されたリレー盤５０に接続するターミナル装置Ｔ２(４極型)とを備え、これらのターミナル装置Ｔ１およびターミナル装置Ｔ２は、図６のような先に説明したターミナル装置Ｔの構成を備える。
【００２５】
リレー接続ユニット４０のより具体的な構成として、ターミナル装置Ｔ１は８対の端子部(t11〜t18,端子台TB1)とプラグ部(p11〜p18)とを、ターミナル装置Ｔ２は４対の端子部(t21〜t24,端子台TB2)とプラグ部(p21〜p24)とを備えるとともに、ＣＴ回路３０(外部回路)に接続するための端子部(t31〜t34,端子台TB3)を備える。
ＣＴ回路３０側からの接続は、リレー接続ユニット４０の端子部(t31,t32,t33,t34)がある端子台TB3から、ターミナル装置Ｔ１のプラグ部(p11,p13,p15,p17)−端子部(t11,t13,t15,t17)−端子部(t12,t14,t16,t18)−プラグ部(p12,p14,p16,p18)を経由して、ターミナル装置Ｔ２のプラグ部(p21,p22,p23,p24)−端子部(t21,t22,t23,t24)を介してリレー盤５０へと接続されている。
【００２６】
図１ｂは、リレー接続ユニット４０の外観イメージの一例を示す図である。これによれば、リレー接続ユニット４０は、その前面(外面)に、８極ＣＴＴ(Current Test Terminal：電流試験ターミナル)、４極ＣＴＴ(電流試験ターミナル)、ＰＴＴ１(Potential Test Terminal：電圧試験ターミナル１)、ＰＴＴ２(電圧試験ターミナル２)、ＴＢ１〜ＴＢ３(ターミナルボード：端子台)を備えており、このような構成によって、既存のリレー盤を新規のリレー盤に切り替え(移し替え)たり、リレー盤に試験のための電流を流して装置の性能をテストしたりすることができる。
【００２７】
図１ａ(１)のリレー接続構造１００において、ＣＴ回路３０(外部回路)は、リレー接続ユニット４０の端子部(t31,t32,t33,t34,端子台TB3)を経由して、リレー接続ユニット４０内のターミナル装置Ｔ１に引き込まれており、このターミナル装置Ｔ１のプラグ部(p12,p14,p16,p18)から、ターミナル装置Ｔ２のプラグ部(p21〜p24)を経由して、既設のリレー盤５０に接続されている。
図６のターミナル装置(Ｔ１,Ｔ２)、図１ａ(２)および図１ｂを参照して、このリレー接続構造１００の既設のリレー盤５０を、新設(新規)のリレー盤５１に取り替える場合の方法について説明する。
【００２８】
○新設するリレー盤５１の側において、
(１)新設側のターミナル装置Ｔ１(８極型)の本体部Ｔｈ１に、後部端子(図６の２４)を渡り線(短絡板)で短絡させたプラグ部Ｔｐ１を挿入する。
(２)ターミナル装置Ｔ１において、端子台(ＴＢ１)の端子部(t11-t12,t13-t14,t15-t16,t17-t18)の渡り線を外して、短絡を解除する。
(３)新設リレー盤５１のケーブルを新設側のターミナル装置Ｔ１に接続する、
(４)新設リレー盤５１のテスト(試験)を行う。
(５)ターミナル装置Ｔ１に挿入されていたプラグ部Ｔｐ１を外す。
○既設されていたリレー盤５０の側において、
(６)既設側のターミナル装置Ｔ２(４極型)の本体部Ｔｈ２に、後部端子(図６の２４)を渡り線(短絡板)で短絡させたプラグ部Ｔｐ２を挿入する。
(７)既設リレー盤５０とターミナル装置Ｔ２とを接続していたケーブルを外す、
(８)ターミナル装置Ｔ２において、端子台(ＴＢ２)の端子部(t21〜t24)に渡り線を取り付けて短絡させる、
(９)ターミナル装置Ｔ２に挿入されていたプラグ部Ｔｐ２を外す。
【００２９】
図１ａ(２)リレー盤接続構造１０１において、既設のリレー盤５０とその側のターミナル装置Ｔ２、新設のリレー盤５１とその側のターミナル装置Ｔ１を用いることによって、上記の(１)〜(９)の各ステップに従えば、外部回路３０へのリレー接続を、既設のリレー盤５０から新規のリレー盤５１に切り替えることができる。そして、ここでは、ターミナル装置(Ｔ１,Ｔ２)を用いることにより、送電線３１を活線状態としたまま、外部回路３０をオープンさせることなく、既設のリレー盤５０からと新規のリレー盤５１へと接続を切り替えることが可能となる。
【００３０】
図１ａ(３)のリレー接続構造１０２は、図１ａ(２)のリレー接続構造１０１において、さらに別のリレー盤５２を新設して、先に接続されたリレー盤５１’を取り外す場合の構成を示す図である。ここでのリレー接続ユニット４０は、これから新設するリレー盤５２に接続するターミナル装置Ｔ２(４極型)と、既設されたリレー盤５１に接続するターミナル装置Ｔ１(８極型)とを備え、これらのターミナル装置Ｔ１およびターミナル装置Ｔ２は、図６の構造を有するターミナル装置Ｔの構成を備えている。
【００３１】
図６のターミナル装置Ｔとこの図１ａ(３)を参照して、既設のリレー盤５１’を、新設(新規)のリレー盤５２に取り替える場合(リレー接続構造１０１)について説明する。
○新設するリレー盤５２の側において、
(１)新設側のターミナル装置Ｔ２(４極型)の本体部Ｔｈ２に、後部端子(図６の２４)を渡り線(短絡板)で短絡させたプラグ部Ｔｐ２を挿入する。
(２)ターミナル装置Ｔ２において、端子台(ＴＢ２)の端子部(t21〜t24)の渡り線を外して短絡を解除する。
(３)新設リレー盤５２のケーブルを新設側のターミナル装置Ｔ２に接続する、
(４)新設リレー盤５１のテスト(試験)を行う。
(５)ターミナル装置Ｔ２に挿入されていたプラグ部Ｔｐ２を外す。
○既設されていたリレー盤５１’の側において、
(６)既設側のターミナル装置Ｔ１(８極型)の本体部Ｔｈ１に、後部端子(図６の２４)を渡り線(短絡板)で短絡させたプラグ部Ｔｐ１を挿入する。
(７)既設リレー盤５１とターミナル装置Ｔ１とを接続していたケーブルを外す。
(８)ターミナル装置Ｔ１において、端子台(ＴＢ１)の端子部(t11-t12,t13-t14,t15-t16,t17-t18)に渡り線を取り付けて短絡させる、
(９)ターミナル装置Ｔ１に挿入されていたプラグ部Ｔｐ１を外す。
【００３２】
図２に示すリレー接続構造２００は、ＰＴ回路３１(外部回路)と、既設のリレー盤５３と、外部回路３１−リレー盤５３間に配設されてこれらの接続／開放の切り替えを行うリレー接続ユニット４１と、を備える。このリレー接続ユニット４１は、既設されたリレー盤５３に接続するターミナル装置Ｔ３(４極型)と、これから新設するリレー盤５４に接続するターミナル装置Ｔ４(４極型)とを備える。
ターミナル装置(Ｔ３、Ｔ４)は、図６によって先に説明したターミナル装置Ｔの構成を備えていて、リレー盤(５３,５４)の側からリレー接続ユニット４１の端子台(ターミナルボード)４１ｔを経由してＰＴ回路３１に接続している。
【００３３】
図２を参照して、このリレー接続構造２００において、既設のリレー盤５３を新設のリレー盤５４に取り替える場合について説明する。
(１)リレー盤５３を設置する時、未設置側のターミナル装置Ｔ４(ＰＴＴ)を開放しておき、ターミナル装置Ｔ４側の端子台(４１ｔ)に接続後、このターミナル装置Ｔ４(ＰＴＴ)を解く。
(２)新設するリレー盤５４を設置した後、既設のリレー盤５３に接続していたターミナル装置Ｔ３(ＰＴＴ)を開放し、既設のリレー盤５３を外す。
【００３４】
図３に示すリレー接続構造３００は、トリップ回路３２(外部回路)と、既設のリレー盤５５と、トリップ回路３２−リレー盤５５間に介在配置されて接続／開放の切り替えを行うリレー接続ユニット４２と、を備える。このリレー接続ユニット４２は、既設されたリレー盤５５に接続するスイッチ装置ｓｗ１と、これから新設するリレー盤５６に接続するスイッチ装置ｓｗ２とを備える。これらの２つのスイッチ装置(ｓｗ１,ｓｗ２)は、接続と開放を自在に切り替えることができるので、この図３に示すリレー接続構造３００においても、図２のリレー接続構造２００と同様に、既設のリレー盤５５を新設のリレー盤５６に取り替えることができる。
【００３５】
図４に示すリレー接続構造４００は、電源回路３３(外部回路)と、既設のリレー盤５７と、これら部材間に介在配置されてこれらの接続／開放の切り替えを行うスイッチ装置(ｓｗ３, ｓｗ４)を含むリレー接続ユニット４３と、を備える。
図４のリレー接続構造４００における既設のリレー盤５７を、新設のリレー盤５８に取り替える場合について説明する。
(１)リレー盤５７を設置する時、新設側のスイッチ装置ｓｗ３を外し、電源回路３３を接続し、新設側のスイッチ装置ｓｗ３を活かす。
(２)新設するリレー盤５８を設置した後、既設のスイッチ装置ｓｗ４を外し、電源回路３３のケーブルを外す。
【００３６】
図５に示すリレー接続構造５００は、表示回路３４(外部回路)と既設のリレー盤５９Ａと、これら部材間に介在配置されてこれらの接続／開放の切り替えを行うスイッチ装置(ｓｗ５, ｓｗ６)を含むリレー接続ユニット４４と、を備える。
図５のリレー接続構造５００において、既設のリレー盤５９Ａを新設(新規)のリレー盤５９Ｂに取り替える場合について説明する。
(１)リレー盤５９Ａを設置する時、新設側のスイッチ装置ｓｗ６を外し、ｓｗ６側の端子台に接続し、新設側のスイッチ装置ｓｗ６を活かす。
(２)新設するリレー盤５９Ｂを設置した後、既設のスイッチ装置ｓｗ５を外し、表示回路３４のケーブルを外す。
【図面の簡単な説明】
【００３７】
【図１ａ】本発明の一実施形態を示す図であり、「ＣＴ回路」に接続していたリレー盤を新設(新規)のリレー盤と取り替える場合を説明するための構成図である。
【図１ｂ】図１ａのリレー接続ユニット４０について、その外観イメージの一例を示す図である。
【図２】本発明の一実施形態を示す図であり、「ＰＴ回路」に接続していたリレー盤を新設のリレー盤と取り替える場合を説明するための構成図である。
【図３】本発明の一実施形態を示す図であり、「トリップ回路」に接続していたリレー盤を新設のリレー盤と取り替える場合を説明するための構成図である。
【図４】本発明の一実施形態を示す図であり、「電源回路」に接続していたリレー盤を新設のリレー盤と取り替える場合を説明するための構成図である。
【図５】本発明の一実施形態を示す図であり、「表示回路」に接続していたリレー盤を新設のリレー盤と取り替える場合を説明するための構成図である。
【図６】(１)は本発明に用いられるターミナル装置Ｔの本体部Ｔｈの内部構造を縦断面によって示す図であり、(２)はターミナル装置Ｔのプラグ部Ｔｐの外観斜視面であり、(３)は、ターミナル装置Ｔの本体部Ｔｈにプラグ部Ｔｐを挿入したときの状態を断面によって示す構造説明図である。
【図７】従来のリレー接続として、ＣＴ回路がリレー盤と直に接続された構成を示す図である。
【符号の説明】
【００３８】
Ｔ、Ｔ１、Ｔ２、    ターミナル装置
Ｔｈ    ターミナル装置Ｔの本体部
Ｔｐ    ターミナル装置Ｔのプラグ部
１０    筐体（ケース体）
１１    差込口
１２    接点ユニット
１５ａ  下部端子
１５ｂ  上部端子
２３    前部端子
２４    後部端子
１００、２００、３００、４００、５００    リレー接続構造
３０、３１、３２、３３、３４        外部回路
４０、４１、４２、４３、４４        接続ユニット
<<、>>、p11〜p18、p21〜p24、    プラグ
◎、t11〜t18、t21〜t24、t31〜t34      端子
ＴＢ１、ＴＢ２      端子台(ターミナルボード)
５０、５１'、５３、５５、５７、５９Ａ、  既設のリレー盤
５１、５２、５４、５６、５８、５９Ｂ      新設のリレー盤
ｓｗ１〜ｓｗ６    スイッチ装置
【図１ａ】
2007330001.tif 000003
【図１ｂ】
2007330001.tif 000004
【図２】
2007330001.tif 000005
【図３】
2007330001.tif 000006
【図４】
2007330001.tif 000007
【図５】
2007330001.tif 000008
【図６】
2007330001.tif 000009
【図７】
2007330001.tif 000010